(57)【特許請求の範囲】
【請求項１】
光ディスクの記録面に光を集光する対物レンズと、この対物レンズの縁下面が載置される載置面を備えたレンズホルダとを有し、
前記載置面を掘り下げて設けられた切欠部に接着剤を注入して前記対物レンズを前記載置面に接着させた光ピックアップにおいて、
前記レンズホルダは前記切欠部に隣接し前記対物レンズの縁下面と対向する位置であって、前記切欠部より浅く掘り下げた接着溝を設けるとともに、
前記レンズホルダは前記切欠部に充填された接着剤が浸透して前記接着溝と前記縁下面との間に充填される隙間を有することを特徴とする光ピックアップ。
【発明の詳細な説明】
【技術分野】
【０００１】
本発明は、光ディスクの記録面上に記録された情報を再生、または情報の記録を行なう光ディスク装置に用いられる光ピックアップに関する。
【背景技術】
【０００２】
光ディスク装置は、対物レンズを常にフォーカシング方向とトラッキング方向に位置決めするために、光ディスクの回転数の高速化に合わせてフォーカシングとトラッキングの制御帯域を高める必要がある。そして、安定した制御を実現するためは、対物レンズ駆動手段の高次共振周波数を高くする必要がある。上記の対物レンズ駆動手段の高次共振には、対物レンズとレンズホルダ間の接着剤の弾性共振が含まれているので、高次共振周波数を高くするためには接着強度を高める必要がある。
【０００３】
このような対物レンズとレンズホルダ間の接着の問題に対して、対物レンズ嵌合部には対物レンズを挟むようにしてトラッキング方向の両側に切り欠きが設けられていて、この切り欠きと対物レンズの側面で形成される凹部に接着剤を付ける方法が特許文献１に記載されている。また、対物レンズの周辺の平面部に外方に向けて一体に突起を形成し、レンズホルダの側面部に対物レンズの平面部を受ける段部と突起を挿入する接着溝とを設けレンズの平面部をレンズホルダの段部に嵌合させた後突起部上に接着剤を塗布する方法が特許文献２に記載されている。
【０００４】
【特許文献１】特開平５−１８９７８５号（第３頁、図４）
【０００５】
【特許文献２】特開平７−２７２３０２号（第２頁、図１）
【発明の開示】
【発明が解決しようとする課題】
【０００６】
上記の従来技術は、図９に示すように対物レンズ側面とレンズホルダ上面で作られる凹部に接着剤を塗布している。上記の対物レンズ側面とレンズホルダ上面の位置関係は直角であり、平行の位置関係に比べ面間の距離が長い。このため、一方の接着面からもう一方の接着面までの距離が長く接着剤の厚みが増えるので、接着剤の変形に起因する対物レンズの振動や接着剤の熱変形、膨潤によって対物レンズの位置決め精度が低下することがある。
【課題を解決するための手段】
【０００７】
上記目的は、光ディスクの記録面に光を集光する対物レンズと、この対物レンズの縁下面が載置される載置面を備えたレンズホルダとを有し、前記載置面を掘り下げて設けられた切欠部に接着剤を注入して前記対物レンズを前記載置面に接着させた光ピックアップにおいて、前記レンズホルダは前記切欠部に隣接し前記対物レンズの縁下面と対向する位置であって、前記切欠部より浅く掘り下げた接着溝を設けるとともに、前記レンズホルダは前記切欠部に充填された接着剤が浸透して前記接着溝と前記縁下面との間に充填される隙間を有することにより達成される。
【発明の効果】
【０００８】
レンズホルダに設けられた切欠部・接着溝に塗布された接着剤によって接着強度を向上することができる。これにより、対物レンズ駆動手段の高次共振周波数を高くでき、対物レンズの高い位置決め精度を得ることができる良好な光ピックアップを提供することができる。
【発明を実施するための最良の形態】
【０００９】
本発明の実施例を図面を用いて説明する。
【実施例１】
【００１０】
図１は、本発明の実施例に係る光ピックアップが有する対物レンズ駆動手段の構成を示す分解斜視図である。図１において、１は対物レンズ駆動手段、２は可動部、３は支持部材、４は固定部、５はヨーク部材、６は永久磁石である。可動部２を構成する２１は対物レンズ、２２はレンズホルダ、２３はコイル部材（２３Ｔはトラッキングコイル、２３Ｆはフォーカシングコイル）である。また、Ｘ軸の方向は図示しない光ディスクの接線方向、Ｙ軸の方向は光ディスクの半径方向（トラッキング方向）、Ｚ軸の方向は対物レンズ２１の光軸方向（フォーカシング方向）である。
【００１１】
レンズホルダ２２には、対物レンズ２１と、フォーカシングコイル２３Ｆおよびトラッキンクコイル２３Ｔが取り付けられ、可動部２が形成される。可動部２は、導電性を有する複数のワイヤで構成される支持部材３を介して固定部４に固定され、Ｙ軸方向およびＺ軸方向に移動可能に支持される。磁性体で形成されるヨーク部材５は、可動部２の両側面に設けられるアウターヨークと、ヨーク部材５の底面から可動部２のフォーカシングコイル２３Ｆの内側に向かって伸びるインナーヨークで構成される。永久磁石６は、アウターヨーク内側で可動部２のトラッキングコイル２３Ｔに対向する位置に取り付けられ固定される。
【００１２】
次に、前記対物レンズ駆動手段１の動作について説明する。永久磁石６の極性をフォーカシングコイル２３Ｆに近い側をＮ極、アウターヨーク側をＳ極とし、フォーカシングコイル２３Ｆに電流を流すと、フォーカシングコイル２３Ｆにフォーカシング方向の電磁力が発生し、可動部２をフォーカシング方向に移動できる。また、トラッキングコイル２３Ｔに電流を流すと、トラッキングコイル２３Ｔにトラッキング方向の電磁力が発生し、可動部２をトラッキング方向に移動できる。上記のようにコイル部材２３に流す電流を制御することによって、可動部２に搭載されている対物レンズ２１の位置を調整することができる。対物レンズ２１の位置調整によって、光ディスク上のレーザビーム照射位置を修正する。
【００１３】
図２は、図１に示した対物レンズ駆動手段１のレンズホルダ２２のＡ−Ａ’断面を示す断面斜視図である。また、図３はレンズ搭載部周辺のＡ−Ａ’断面を示す断面図、図４はレンズ搭載部周辺のＢ−Ｂ’断面を示す断面図である。図２、図３、図４において、２１は対物レンズ、２１Ｓはレンズ縁下面、２２はレンズホルダ、２２１Ｓは載置面、２２１は嵌合部、２２２は切欠部、２２３Ｓは接着溝、２３Ｔはトラッキングコイル、２３Ｆはフォーカシングコイル、７は接着剤である。レンズホルダ２２には、嵌合部２２１が設けられている。嵌合部２２１は、載置面２２１Ｓで対物レンズ２１のフォーカシング方向の嵌合位置を、開口部内周側面で対物レンズ２１の外周の嵌合位置を位置決めする。対物レンズ２１は、レンズホルダ２２に設けられた嵌合部２２１に嵌合するように、レンズの縁下面に平面２１Ｓを形成している。このように嵌合部２２１を設けることによって、対物レンズ２１をレンズホルダ２２の嵌合位置に高精度に位置決めすることができる。
【００１４】
嵌合部２２１には、フォーカシング方向の嵌合位置を位置決めする載置面２２１Ｓの一部を掘り下げた切欠部２２２が複数設けられている。対物レンズ２１とレンズホルダ２２の接着は、切欠部２２２から接着剤７を注入し対物レンズ縁下面２１Ｓと切欠部２２２の隙間を充填することで行なわれる。このように、嵌合部２２１に切欠部２２２を設けることにより、接着剤７の注入が容易になり作業性を向上することができる。
【００１５】
さらに、嵌合部２２１の載置面２２１Ｓには、切欠部２２２よりも浅く掘り下げられた上面接着溝２２３Ｓが形成されている。上面接着溝２２３Ｓは、切欠部２２２に隣接し結合されている。切欠部２２２より充填された接着剤７は、切欠部２２２から上面接着溝２２３Ｓに浸透し、上面接着溝２２３Ｓと対物レンズ２１の縁下面２１Ｓとの間にできた隙間を充填する。ここで、上面接着溝２２３Ｓにおいて、対物レンズ２１側の接着面とレンズホルダ２２側の接着面は微小な距離で対向することになる。接着は、一般的に二つの接着面が平行で、距離が微小な空間に用いられるほど理想的な接着強度を得ることができる。したがって、上面接着溝２２３Ｓでは、対物レンズ２１とレンズホルダ２２はより強固な接着強度を得ることが可能となる。また、厚みの薄い接着剤７はほとんど変形を生じないので、外力が作用による変形や熱変形、接着剤７の膨潤などによる変形、さらには接着剤７の変形に起因する対物レンズ２１の振動を低減することができる。このように、嵌合部２２１の上面に上面接着溝２２３Ｓを設けることにより、対物レンズ２１とレンズホルダ２２の接着強度を高めることができるとともに、対物レンズ２１の嵌合位置を高精度に保つことができるようになる。特に、上面接着溝２２３Ｓに垂直なフォーカシング方向の接着強度が向上するため、対物レンズ２１のフォーカシング方向の制御追従性が良くなって制御位置の位置決め精度を高めることができる。
【００１６】
以上のように、本実施例１では、対物レンズ２１を保持するレンズホルダ２２に、対物レンズ２１のフォーカシング方向の嵌合位置および外周の嵌合位置を位置決めする嵌合部２２１と、嵌合部２２１のレンズ載置面２２Ｓの一部を掘り下げた切欠部２２２と、切欠部２２２に隣接し切欠部２２２より浅く掘り下げた接着溝２２３Ｓを設けることにより、対物レンズ２１の嵌合位置の位置決めを正確に行ないつつ、確実な接着を行なう。これにより、特に対物レンズ２１のフォーカシング方向制御位置の位置決めを高精度に行なうことができ、高密度記録再生に対応した光ピックアップを実現できる。
【実施例２】
【００１７】
本発明の第２の実施例を図面を用いて説明する。
図５、図６は、本発明の第２の実施例に係る光ピックアップが有する対物レンズ駆動手段１のレンズホルダ２２のＡ−Ａ’断面を示す断面斜視図および断面図である。この第２の実施例においては、実施例１の構成における上面接着溝２２３Ｓの代わりに側面接着溝２２３Ｒを設けている。また、対物レンズ２１は、レンズホルダ２２に設けられた嵌合部２２１に嵌合するように、レンズの縁下面に平面２１Ｓを形成するとともに、レンズ外周側面に円筒面２１Ｒを形成している。
【００１８】
嵌合部２２１には、開口部内周側面２２１Ｒの一部を掘り下げた側面接着溝２２３Ｒが形成されている。側面接着溝２２３Ｒは、切欠部２２２に隣接し結合されている。切欠部２２２より充填された接着剤７は、切欠部２２２から側面接着溝２２３Ｒに浸透し、側面接着溝２２３Ｒと対物レンズ２１の円筒面２１Ｒとの間にできた隙間を充填する。このように、嵌合部２２１の開口部内周側面２２１Ｒに側面接着溝２２３Ｒを設けることにより、対物レンズ２１とレンズホルダ２２の接着強度を高めることができるとともに、対物レンズ２１の嵌合位置を高精度に保つことができるようになる。特に、側面接着溝２２３Ｒに垂直なトラッキング方向の接着強度が向上するため、対物レンズ２１のトラッキング方向の制御追従性が良くなって制御位置の位置決め精度を高めることができる。これにより、トラッキングエラーを低減することができ、高密度記録再生に対応した光ピックアップを実現できる。
【実施例３】
【００１９】
本発明の第３の実施例を図面を用いて説明する。
図７、図８は、本発明の第３の実施例に係る光ピックアップが有する対物レンズ駆動手段１のレンズホルダ２２のＡ−Ａ’断面を示す断面斜視図および断面図である。この第３の実施例においては、実施例１の構成における上面接着溝２２３Ｓに加えて、側面接着溝２２３Ｒを設けている。
【００２０】
嵌合部２２１には、切欠部２２２よりも浅く掘り下げられた上面接着溝２２３Ｓと、開口部内周側面の一部を掘り下げた側面接着溝２２３Ｒが形成されている。上面接着溝２２３Ｓおよび側面接着溝２２３Ｒは、切欠部２２２に隣接し結合されている。切欠部２２２より充填された接着剤７は、切欠部２２２から上面接着溝２２３Ｓおよび側面接着溝２２３Ｒに浸透し、対物レンズ２１とレンズホルダ２２の接着を行なう。これにより、対物レンズ２１とレンズホルダ２２の接着強度を高めるとともに、対物レンズ２１のフォーカシング方向およびトラッキング方向の嵌合位置を高精度に保つことができる。さらに、対物レンズ２１のフォーカシング方向およびトラッキング方向の制御追従性が良くなって制御位置の位置決め精度を高めることができる。これにより、高密度記録再生に対応した光ピックアップを実現できる。
【００２１】
以上、本発明によれば、対物レンズ２１を保持するレンズホルダ２２に、対物レンズ２１のフォーカシング方向の嵌合位置および外周の嵌合位置を位置決めする嵌合部２２１と、嵌合部２２１の上面の一部を掘り下げた切欠部２２２と、切欠部２２２に隣接し切欠部２２２より浅く掘り下げた接着溝２２３Ｓおよび開口部内周側面２２１Ｒの一部を掘り下げた側面接着溝２２３Ｒを設けることにより、対物レンズ２１の嵌合位置の位置決めを正確に行ないつつ、確実な接着を行なう。これにより、対物レンズ２１のフォーカシング方向およびトラッキング方向の制御位置の位置決めを高精度に行なうことができ、高密度記録再生に対応した光ピックアップを実現できる。
【図面の簡単な説明】
【００２２】
【図１】本発明の実施例１に係る光ピックアップが有する対物レンズ駆動手段の構成を示す分解斜視図である。
【図２】図１に示した対物レンズ駆動手段のレンズホルダのＡ−Ａ’断面を示す断面斜視図である。
【図３】図１に示した対物レンズ駆動手段の対物レンズ搭載部周辺のＡ−Ａ’断面を示す断面図である。
【図４】図１に示した対物レンズ駆動手段の対物レンズ搭載部周辺のＢ−Ｂ’断面を示す断面図である。
【図５】本発明の実施例２に係る光ピックアップが有する対物レンズ駆動手段のレンズホルダのＡ−Ａ’断面を示す断面斜視図である。
【図６】図５に示した対物レンズ駆動手段の対物レンズ搭載部周辺のＡ−Ａ’断面を示す断面図である。
【図７】本発明の実施例２に係る光ピックアップが有する対物レンズ駆動手段のレンズホルダのＡ−Ａ’断面を示す断面斜視図である。
【図８】図７に示した対物レンズ駆動手段の対物レンズ搭載部周辺のＡ−Ａ’断面を示す断面図である。
【図９】従来の光ピックアップが有する対物レンズ駆動手段の対物レンズ搭載部周辺のＡ−Ａ’断面を示す断面図である。
【符号の説明】
【００２３】
１…対物レンズ駆動手段、２…可動部、２１…対物レンズ、２１Ｓ…レンズ縁下面、２１Ｒ…円筒面、２２…レンズホルダ、２２１…嵌合部、２２１Ｓ…載置面、２２１Ｒ…内周側面、２２２…切欠部、２２３…接着溝、２２３Ｓ…上面接着溝、２２３Ｒ…側面接着溝、２３…コイル部材、２３Ｆ…フォーカシングコイル、２３Ｔ…トラッキングコイル、３…支持部材、４…固定部、５…ヨーク部材、６…永久磁石、７…接着剤。
【図１】
0004427019.tif 000002
【図２】
0004427019.tif 000003
【図３】
0004427019.tif 000004
【図４】
0004427019.tif 000005
【図５】
0004427019.tif 000006
【図６】
0004427019.tif 000007
【図７】
0004427019.tif 000008
【図８】
0004427019.tif 000009
【図９】
0004427019.tif 000010